(57)【要約】      （修正有）【課題】電源コードの一部をコンセントの外部に引き出した構造とすることで随時電流測定を可能にしたコンセントを提供する。【解決手段】タップ本体１に内装される受刃金具２と、受刃金具２に電源コード３を接続するコード接続部位４と、コード接続部位４を覆うケーシングカバー６と、ケーシングカバー６に穿設した一対のコード貫通孔と、Ｕ字状チューブ７と、一対の接続用コード８と、を備える。また、コード接続部位８の一対の受刃金具２とコードグリップ部５に固定した電源コード３の端部とを接続用コード８を介装させて接続すると共に、接続用コード８の一本を一対のコード貫通孔とＵ字状チューブ７とに挿通させてケーシングカバー６の上面に逆Ｕ字状に湾曲させた電流測定部を設ける。【選択図】図２
0003173303.tif 000002
【実用新案登録請求の範囲】
【請求項１】
タップ本体と、該タップ本体の上面に配設させた複数のプラグ差込口と、該複数のプラグ差込口の直下に夫々配設させた複数のプラグ用受刃部を有した前記タップ本体に内装される一対の受刃金具と、該一対の受刃金具の夫々の一側端に電源コードの夫々の端部とを電気的に接続するためのコード接続部位と、該コード接続部位の一側端辺に前記電源コードを固定したコードグリップ部と、前記コード接続部位の少なくとも一部を覆うケーシングカバーと、該ケーシングカバーの上面に穿設した一対のコード貫通孔と、Ｕ字状チューブと、一対の接続用コードと、を備え、前記コード接続部位の前記一対の受刃金具の夫々の一側端と前記コードグリップ部に固定した前記電源コードの端部とを前記接続用コードを介装させて接続すると共に、前記接続用コードの一本を前記一対のコード貫通孔と前記Ｕ字状チューブとに挿通させて前記ケーシングカバーの上面に逆Ｕ字状に湾曲させた電流測定部を備えたことを特徴とする１９インチラック用コンセント。
【考案の詳細な説明】
【技術分野】
【０００１】
本考案は、１９インチラック用コンセントに関するものであり、更に詳細には、多数、多種類の制御機器、コンピュータ機器、通信機器等をまとめて収納する１９インチラックに取り付け、各機器に電力を提供するための複数のプラグ用差込口を備えた任意の長さを有する１９インチラック用コンセントに関するものである。
【背景技術】
【０００２】
一般的に１９インチラックと通称される収容ラックは多方面で汎用されており、工場の制御機器、業務用音響機器、業務用映像機器、実験機器、コンピュータ機器、通信機器等をまとめて収容しており、産業界、各種研究機関、又、個人においても広く使用されており、これらの複数の使用機器に電力を提供するために複数のプラグ用差込口を並設したコンセントが必要である。
【０００３】
然し乍ら、前述のコンセントに接続した複数の使用機器の合計の消費電力を測定して、過電流による不用意なブレーカーによる遮断を避けるため、消費電力を提供しているコンセントの通過電流を測定して全体の使用電力を把握することが行われており、その為に、一対の受刃金具と電源コードの端部とのコード接続部において、電源コードの外皮をコンセントの外方まで長く剥いで内層を露出させて測定部としていたが、外皮を剥がれた内層が剥き出しと成った部位は、損傷し易く、絶縁性に課題を有しており、又、コード接続部で電源コードを固定するコードクリップも外皮を剥がれた内層が剥き出しと成った部位でクリップされているが、グリップが効かない状態となっていた。
【０００４】
その為に、例えば、先に開示されている、複数個のコンセント１９を備える差込接続器であって、ケース１１には、クランプ電流計１０１のクランプ部１０９を挿入可能な挿入路１７を、引込口１３と当該引込口に最も近いコンセントとの間において厚み方向に形成してあり、一方の電極ライン３１ａと他方の電極ライン３１ｂとを、当該挿入路を挟んで対置可能に構成してある。一方の電極ライン及び他方の電極ラインを個別に測定でき、また、測定結果を比較することにより漏電点検できる。クランプ電流計による電流測定であるから、常時通電状態にあっても通過電流（消費電力）の測定及び漏電点検を可能とするもの（特許文献１参照）や、小型消費電力測定装置１は、電源のコンセントと被測定対象となる電気器具６の電源プラグ７との間に挿入され、動作に必要な電気エネルギーを電源から供給され、電気器具６の消費電力を測定する。そして、電圧及び電流の各信号をその各１周期の二分の一以下の間隔でサンプリングし測定する。また、電流測定レンジを複数に分割し、電気器具６に流れる電流の値に適合する測定レンジを自動的に選択する。更に、測定した消費電力とその消費電力に基づいて計算した他の数値を表示部４に表示するもの（特許文献２参照）がある。
【特許文献１】特開２００５−２７６７９８号公報
【特許文献２】特開平８−１８４６１６号公報
【考案の開示】
【考案が解決しようとする課題】
【０００５】
然し乍ら、特許文献１のものは、ケース１１には、クランプ電流計１０１のクランプ部１０９を挿入可能な挿入路１７を、引込口１３と当該引込口に最も近いコンセントとの間において厚み方向に形成したものであり、コンセント本体や内部構造の大幅な設計変更が必要となりコスト高と成り、特許文献２のものは、小型消費電力測定装置１は、電源のコンセントと被測定対象となる電気器具６の電源プラグ７との間に挿入され、動作に必要な電気エネルギーを電源から供給され、電気器具６の消費電力を測定するものであるが、使用状態のままの測定はできず、使用状態のままの測定するには常時接続してなければ成らず、使い勝手が悪いものである。
【課題を解決するための手段】
【０００６】
本考案は前記課題に鑑み、鋭意研鑽の結果、これらの課題を解決するもので、タップ本体と、タップ本体の上面に配設させた複数のプラグ差込口と、複数のプラグ差込口の直下に配設させた複数のプラグ用受刃部を有したタップ本体に内装される一対の受刃金具と、一対の受刃金具の一側端に電源コードの端部とを電気的に接続するためのコード接続部位と、コード接続部位の一側端辺に電源コードを固定したコードグリップ部と、コード接続部位の少なくとも一部を覆うケーシングカバーと、ケーシングカバーの上面に穿設した一対のコード貫通孔と、Ｕ字状チューブと、一対の接続用コードと、を備え、コード接続部位の一対の受刃金具の一側端とコードグリップ部に固定した電源コードの端部とを接続用コードを介装させて接続すると共に、接続用コードの一本を一対のコード貫通孔とＵ字状チューブとに挿通させてケーシングカバーの上面に逆Ｕ字状に湾曲させた電流測定部を備えたものである。
【考案の効果】
【０００７】
本考案の１９インチラック用コンセントは、受刃金具と電源コードとの間に介装する一本の接続用コードをケーシングカバーに穿設した一対のコード貫通孔とＵ字状チューブとに挿通させて、ケーシングカバーの上面に逆Ｕ字状に湾曲させた電流測定部を備えたもので、従来のコンセントに大幅な設計変更をすることなく、また、電源コードをタップ本体の一側端辺で固定したコードグリップ部は外皮を剥くことなくしっかりとグリップでき、また、測定時もクランプメーターを上方に突出した逆Ｕ字状の電流測定部で測定が可能となるもので、画期的で実用性の高い有効な考案である。
【考案を実施するための最良の形態】
【０００８】
以下、本考案の１９インチラック用コンセントの実施の形態を図面によって具体的に説明すると、図１は本考案の１９インチラック用コンセントの実施例の全体の斜視図であり、図２は本考案の１９インチラック用コンセントの実施例の要部の平面図である。
【０００９】
本考案は、１９インチラック用コンセントに関するものであり、更に詳細には、多数、多種類の制御機器、コンピュータ機器、通信機器等をまとめて収納する１９インチラックに取り付け、各機器に電力を提供するための複数のプラグ用差込口を備えた任意の長さを有する１９インチラック用コンセントに関するものであり、タップ本体１と、該タップ本体１の上面に配設させた複数のプラグ差込口１ａと、該複数のプラグ差込口１ａの直下に夫々配設させた複数のプラグ用受刃部を有した前記タップ本体１に内装される一対の受刃金具２と、該一対の受刃金具２の夫々の一側端に電源コード３の夫々の端部とを電気的に接続するためのコード接続部位４と、該コード接続部位４の一側端辺に前記電源コード３を固定したコードグリップ部５と、前記コード接続部位４の少なくとも一部を覆うケーシングカバー６と、該ケーシングカバー６の上面に穿設した一対のコード貫通孔と、Ｕ字状チューブ７と、一対の接続用コード８と、を備え、前記コード接続部位８の前記一対の受刃金具２の夫々の一側端と前記コードグリップ部５に固定した前記電源コード３の端部とを前記接続用コード８を介装させて接続すると共に、前記接続用コード８の一本を前記一対のコード貫通孔と前記Ｕ字状チューブ７とに挿通させて前記ケーシングカバー６の上面に逆Ｕ字状に湾曲させた電流測定部を備えたことを特徴とするものである。
【実施例】
【００１０】
即ち、本考案の１９インチラック用コンセントは、図１及び図２に図示するもので、タップ本体１は、難燃性のＡＢＳ樹脂等で形成され上方ケーシングと下方ケーシングとを合着した一対のケーシングと、一対のケーシングを１９インチラックに固定するための固定用部材から成るものである。
【００１１】
そして、複数のプラグ差込口１ａは、図１に図示するものでは９組のプラグ差込口１ａを開口させているものであるが、その数は任意のものであり、夫々のプラグ差込口１ａは、汎用されているコンセントやタップ等に設けられている周知のもので、一対のプラグ差込口１ａとアース端子の差込口を有しているもので、タップ本体１の上面に配設しているものである。
【００１２】
次に、一対の受刃金具２は、タップ本体１に内装されるもので、複数のプラグ用受刃部を延設しており、夫々のプラグ用受刃部は夫々のプラグ差込口１ａの直下に位置させており、使用機器に付設されたプラグの栓刃を差し込むことにより電気的に接続するものである。
【００１３】
次いで、コード接続部位４は、一対の受刃金具２の夫々の一側端と電源コード３の夫々の先端とを接続する部位であり、つまり、一対の受刃金具２の一側端をタップ本体１の一側端辺に位置させて、受刃金具２と商業電源に接続する電源コード３の端部とを接続する部位であり、電源コード３は後述するコードグリップ部５と接続部との間は外皮は剥ぎ取られており、更に、接続は後述する接続コード８を介装させるものである。
【００１４】
更に、コードグリップ部５は、コード接続部位４に設けて電源コード３をタップ本体１の一側端辺で固定するものであり、ここでの電源コード３は外皮を剥がさない状態で帯状部材をビス止めすることにより電源コード３をグリップするものである。
【００１５】
更には、ケーシングカバー６は、コード接続部位４の少なくとも一部を覆い、上面がタップ本体１の上方ケーシングの上面と面一状態となるものである。
【００１６】
加えて、一対のコード貫通孔はケーシングカバー６の上面に穿設するものであり、後述するＵ字状チューブ７に電源コード３を挿通させるためのものである。
【００１７】
また、Ｕ字状チューブ７は、合成樹脂で成型したもので、ケーシングカバー６の上面に穿設した一対のコード貫通孔にＵ字状チューブ７の両端の開口を位置させ、逆Ｕ字状に立設するもので、後述する接続用コード８を挿通させるものである。
【００１８】
更に、一対の接続用コード８は、電源コード３の外皮を剥ぎ取った内層が表皮となっているもので、両端は内層も剥ぎ取り導線が剥き出しとなっている状態のもので、汎用されているコードを使用するものである。
【００１９】
そして、電流測定部は、接続用コード８の一本の端部辺をケーシングカバー６の下方から、片側のコード貫通孔に挿通させ、次に、Ｕ字状チューブ７に挿通させ、更に、他側のコード貫通孔に挿通させたもので、ケーシングカバー６の上面に逆Ｕ字状に湾曲させたＵ字状チューブ７を立設させたものである。
【００２０】
つまり、一対の受刃金具２の一側端と端部とを接続する電源コード３は、２芯又はアース線を含む３芯のもので、コードグリップ部５においては、外皮をそのままにしてグリップさせており、そして、電源コード３の外皮と内層とを剥いで導線と一対の受刃金具２の一側端とを電気的に接続するものであるが、接続用コード８を介装しているもので、その内の一本をＵ字状チューブ７とケーシングカバー６に穿設したコード貫通孔とを挿通させるもので、接続用コード８の両端は導線が露出しており、中間部位は内層状の絶縁被覆を有するものである。
【産業上の利用可能性】
【００２１】
本考案は、受刃金具と電源コードとの間に介装する一本の接続用コードをケーシングカバーに穿設した一対のコード貫通孔とＵ字状チューブとに挿通させて、ケーシングカバーの上面に逆Ｕ字状に湾曲させた電流測定部を備えたもので、従来のコンセントに大幅な設計変更をすることなく、また、電源コードをタップ本体の一側端辺で固定したコードグリップ部は外皮を剥くことなくしっかりとグリップでき、また、測定時もクランプメーターを上方に突出した逆Ｕ字状の電流測定部で測定が可能となる１９インチラック用コンセントを提供するものである。
【図面の簡単な説明】
【００２２】
【図１】図１は本考案の１９インチラック用コンセントの実施例の全体の斜視図である。
【図２】図２は本考案の１９インチラック用コンセントの実施例の要部の平面図である。
【符号の説明】
【００２３】
１      タップ本体
１ａ    プラグ差込口
２      受刃金具
３      電源コード
４      コード接続部位
５      コードグリップ部
６      ケーシングカバー
７      Ｕ字状チューブ
８      接続用コード
【図１】
0003173303.tif 000003
【図２】
0003173303.tif 000004